(57)【要約】【課題】  チャイルドシートの内部空間を十分に確保しつつ、チャイルドシートに装着したまま自転車を運転することができるチャイルドシート用レインカバーの提供。【解決手段】  自転車１０に備え付けられたヘッドレスト付きチャイルドシートに装着されるチャイルドシート用レインカバー１は、透過性を有し、チャイルドシートの前方を覆う前方被覆部２と、前方被覆部２の側方に設けられた側方被覆部３と、チャイルドシートの背面を覆い、側方被覆部３が接続される後方被覆部４と、を有している。前方被覆部２は、側方被覆部３に対して開閉可能に設けられている。前方被覆部２を閉じた状態では、前方被覆部２は側方被覆部３に対して固定可能である。前方被覆部３を開いた状態では、側方被覆部３は後方被覆部４に固定可能である。【選択図】図７
2020032815.tif 000002
【特許請求の範囲】
【請求項１】
自転車に備え付けられたチャイルドシートに装着されるチャイルドシート用レインカバーであって、
前記チャイルドシートの前方及び上方を覆う前方被覆部と、
前記チャイルドシートの側方を覆い、前記前方被覆部と共に前記チャイルドシート上方の空間を形成する上部被覆部を有する側方被覆部と、
前記チャイルドシートの後面を覆い、前記側方被覆部が接続される後方被覆部と、を有し、
前記前方被覆部は、前記側方被覆部に対して開閉可能に設けられ、
前記前方被覆部を閉じた使用状態では、前記前方被覆部は前記側方被覆部に対して固定可能であり、
前記前方被覆部を開いた開放状態では、前記上部被覆部は前記後方被覆部に固定可能であることを特徴とするチャイルドシート用レインカバー。
【請求項２】
前記上部被覆部は円弧形状をなし、
前記使用状態のときは、前記円弧は上方に指向し、
前記開放状態であって前記上部被覆部を前記後方被覆部に固定したときは、前記円弧は横方向に指向していることを特徴とする請求項１に記載のチャイルドシート用レインカバー。
【請求項３】
前記側方被覆部は、前記上部被覆部の下方に位置し、前記チャイルドシートの本体部の側方を覆う下部被覆部をさらに有し、
前記下部被覆部は、前記開放状態であって前記上部被覆部を前記後方被覆部に固定したとき、折り畳まれて前記側方被覆部から前記後方被覆部に跨り位置していることを特徴とする請求項１または２に記載のチャイルドシート用レインカバー。
【請求項４】
前記前方被覆部と前記側方被覆部とを互いに固定したとき、前記前方被覆部と、前記側方被覆部と、前記後方被覆部とによって、前記チャイルドシートが収納されるシート収納空間が規定され、
前記側方被覆部は、右側方被覆部と、左側方被覆部と、から構成され、
前記右側方被覆部は、前記シート収納空間に配置された係合ベルトを有し、
前記左側方被覆部は、前記シート収納空間に配置され前記係合ベルトに接続される被係合ベルトを有し、
前記上部被覆部は、前記係合ベルトと前記被係合ベルトとが互いに係合することによって前記後方被覆部に固定されることを特徴とする請求項１から３のいずれか１項に記載のチャイルドシート用レインカバー。
【請求項５】
前記前方被覆部は、
前記チャイルドシートの上端部に引掛けられる引掛部と、
前記引掛部の上方に位置する姿勢保持部と、
前記引掛部が前記上端部に引掛けられた状態で、前記引掛部を前記チャイルドシートに対して固定する固定ベルトと、を有し、
前記姿勢保持部は、前記固定ベルトによって前記引掛部を前記上端部に固定したとき、上方に起立する程度の剛性を有していることを特徴とする請求項１から請求項４のいずれか１項に記載のチャイルドシート用レインカバー。
【発明の詳細な説明】
【技術分野】
【０００１】
本発明はチャイルドシート用レインカバーに関し、特に自転車のチャイルドシートに取り付けるチャイルドシート用レインカバーに関する。
【背景技術】
【０００２】
従来より、自転車の後部座席のチャイルドシートに装着する自転車後部用チャイルドシートカバーが知られている（例えば、特許文献１）。自転車後部用チャイルドシートカバーは、前面部と、側面部と、背面部と、を有していて、スライドファスナーで前面部を開くことによって子供がチャイルドシートに乗り降りする。
【０００３】
自転車後部用チャイルドシートカバーの側面部には、雨天時に内部が蒸れることを抑制するために、外気を内部に導入することができる外気導入口が形成されている。外気導入口は、通常状態では被覆部材によって被覆されている。
【０００４】
他のチャイルドシート用レインカバーでは、着座した幼児の周囲に十分に空間を確保するために、透明な合成樹脂製であって広い空間を有しチャイルドシートの上部を覆う上部カバーと、上部カバーの下方に位置する下部カバーと、を有している（例えば、特許文献２）。上部カバーは、下部カバーに対して４つの辺のうちの３つの辺が線ファスナーによって開閉可能となっている。
【先行技術文献】
【特許文献】
【０００５】
【特許文献１】特開２０１４−２８６１７号公報
【特許文献２】特開２０１５−２１７８３５号公報
【発明の概要】
【発明が解決しようとする課題】
【０００６】
特許文献１に記載の自転車後部用チャイルドシートカバーでは、チャイルドシートの周辺であって特にヘッドレスト周囲に十分な空間が確保されていないため、子供がチャイルドシートに座った際に前面部との距離が近くなってしまい息苦しさを感じてしまう。
【０００７】
また、特許文献２に記載されているように上部カバーでチャイルドシートのヘッドレスト周囲に十分な空間を確保したとしても、４つの辺のうちの３つの辺に設けられた線ファスナーで上部カバーを回動させることによって子供を乗り降りさせるため、上部カバーを回動させてチャイルドシートを開放した状態で自転車を運転するためには上部カバーを取り外す必要があり、突然の雨に対応することができなかった。また、上部カバーを取り付けてチャイルドシートを開放した状態のまま自転車を運転することは難しく、上部カバーを閉じた状態で運転していた。
【０００８】
一般に市販されている多くのチャイルドシート用レインカバーは、複数個所でチャイルドシートに固定するため、取付手順が煩雑であり一度装着したらチャイルドシート用レインカバーを取り外さずに運用することが多い。特許文献２に記載のチャイルドシート用レインカバーでは、晴天時であっても上部カバーが存在している状態となるため、夏の暑い日などは使い勝手が良くなかった。
【０００９】
そこで、本発明は、チャイルドシートの内部空間を十分に確保しつつ、チャイルドシートに装着したまま自転車を運転することができるチャイルドシート用レインカバーを提供することを目的とする。
【課題を解決するための手段】
【００１０】
上記課題を解決するために第１の発明は、自転車に備え付けられたチャイルドシートに装着されるチャイルドシート用レインカバーであって、前記チャイルドシートの前方及び上方を覆う前方被覆部と、前記チャイルドシートの側方を覆い、前記前方被覆部と共に前記チャイルドシート上方の空間を形成する上部被覆部を有する側方被覆部と、前記チャイルドシートの後面を覆い、前記側方被覆部が接続される後方被覆部と、を有し、前記前方被覆部は、前記側方被覆部に対して開閉可能に設けられ、前記前方被覆部を閉じた使用状態では、前記前方被覆部は前記側方被覆部に対して固定可能であり、前記前方被覆部を開いた開放状態では、前記上部被覆部は前記後方被覆部に固定可能であることを特徴とするチャイルドシート用レインカバーを提供している。
【００１１】
第２の発明では、第１の発明に記載されたチャイルドシート用レインカバーであって、前記上部被覆部は円弧形状をなし、前記使用状態のときは、前記円弧は上方に指向し、前記開放状態であって前記上部被覆部を前記後方被覆部に固定したときは、前記円弧は横方向に指向していることを特徴としている。
【００１２】
第３の発明では、第１の発明又は第２の発明に記載されたチャイルドシート用レインカバーであって、前記側方被覆部は、前記上部被覆部の下方に位置し、前記チャイルドシートの本体部の側方を覆う下部被覆部をさらに有し、前記下部被覆部は、前記開放状態であって前記上部被覆部を前記後方被覆部に固定したとき、折り畳まれて前記側方被覆部から前記後方被覆部に跨り位置していることを特徴としている。
【００１３】
第４の発明では、第１の発明から第３の発明のいずれかに記載されたチャイルドシート用レインカバーであって、前記前方被覆部と前記側方被覆部とを互いに固定したとき、前記前方被覆部と、前記側方被覆部と、前記後方被覆部とによって、前記チャイルドシートが収納されるシート収納空間が規定され、前記側方被覆部は、右側方被覆部と、左側方被覆部と、から構成され、前記右側方被覆部は、前記シート収納空間に配置された係合ベルトを有し、前記左側方被覆部は、前記シート収納空間に配置され前記係合ベルトに接続される被係合ベルトを有し、前記上部被覆部は、前記係合ベルトと前記被係合ベルトとが互いに係合することによって前記後方被覆部に固定されることを特徴としている。
【００１４】
第５の発明では、前記前方被覆部は、前記チャイルドシートの上端部に引掛けられる引掛部と、前記引掛部の上方に位置する姿勢保持部と、前記引掛部が前記上端部に引掛けられた状態で、前記引掛部を前記チャイルドシートに対して固定する固定ベルトと、を有し、前記姿勢保持部は、前記固定ベルトによって前記引掛部を前記上端部に固定したとき、上方に起立する程度の剛性を有していることを特徴としている。
【発明の効果】
【００１５】
第１の発明によると、前方被覆部を開いた状態で上部被覆部が後方被覆部に固定可能であるため、前方被覆部を開放した状態において側方被覆部が下方に垂れ下がることない。これにより、自転車の運転時に側方被覆部が自転車のチェーンに絡むなどのトラブルを防止し、チャイルドシート用レインカバーを装着した状態のまま自転車を運転することができる。また、前方被覆部と上部被覆部によってチャイルドシートの上方に空間が形成されているため、前方被覆部を閉じた状態であってもチャイルドシート周辺に広い空間を確保することができる。これにより、子供は息苦しさを感じることのないチャイルドシート用レインカバーを実現することができる。
【００１６】
チャイルドシート用レインカバーの設計において、子供の快適性を考慮してチャイルドシートの周囲や上部に広く空間を確保しようとすると、側方被覆部の面積が大きくなってしまう。このような状態でレインカバーを開放した場合、側方被覆部が下方に垂れ下がり自転車の運転の邪魔になる可能性があった。しかし、本件発明のように側方被覆部を後方被覆部に固定することで、たとえ側方被覆部の面積が広くなったとしても、側方被覆部をバタつかせることなく安定的に固定することができる。
【００１７】
第２の発明によると、上部被覆部を後方被覆部に固定した状態で円弧が横方向に指向しているため、上部被覆部を折り畳むことなく後方被覆部に固定することができる。これにより、上部被覆部に折りシワや癖などが付くことを防止できる。さらに、上部被覆部が横方向に指向しているため、上部被覆部を後方被覆部に密着させて安定的に固定することができる。
【００１８】
第３の発明によると、下部被覆部は側方被覆部から後方被覆部に跨り位置しているため、下部被覆部が側方被覆部及び後方被覆部に接している状態となる。詳細には、上部被覆部が後方被覆部に固定されるとともに下部被覆部が側方被覆部及び後方被覆部に跨っているため、側方被覆部をバタつかせることなく安定的に固定することができる。
【００１９】
第４の発明によると、係合ベルトと被係合ベルトとによって上部被覆部を後方被覆部に固定しているため、簡易な構造で両サイドの側方被覆部を同時に固定することができる。これにより、それぞれの側方被覆部を別々に固定する場合と比較して、簡単な操作で両方の側方被覆部の固定及び解除を行うことができる。また、係合ベルト及び被係合ベルトはシート収納空間に設けられているため、係合ベルト及び被係合ベルトが外部に垂れ下がることがなく、これらのベルトが自転車の車輪に絡むなどの運転トラブルを抑制することができる。
【００２０】
第５の発明によると、チャイルドシートの上端部に引掛けられる引掛部を固定ベルトで固定しているため、チャイルドシート用レインカバーをチャイルドシートに対してズレることなく安定的に固定することができる。特に、本件発明においてはチャイルドシートの内部空間を大きく確保しているため側面における風の抵抗が大きくなり、チャイルドシート用レインカバーへの負荷が大きくなる。しかし、このような固定方法を採用することにより、特に上下方向のズレを抑制することができる。また、姿勢保持部は、引掛部をチャイルドシートの上端部に固定したときに上方に起立する程度の剛性を有しているため、チャイルドシート上部の空間を安定的に保持することができる。また、姿勢保持部は、上部被覆部及び前方保持部とともにシート収納空間の後部の一部を形成しているため、後方からの太陽光を姿勢保持部によって遮断することができる。これにより、子供への紫外線等の被害を最小限に抑えることができる。
【図面の簡単な説明】
【００２１】
【図１】本発明の実施の形態によるチャイルドシート用レインカバーが使用状態のときの斜視図。
【図２】本発明の実施の形態によるチャイルドシート用レインカバーの後方斜視図。
【図３】本発明の実施の形態によるチャイルドシート用レインカバーのチャック部分の部分拡大図。
【図４】本発明の実施の形態によるチャイルドシート用レインカバーのチャック部分のチャックを収納したときの部分拡大図。
【図５】本発明の実施の形態によるチャイルドシート用レインカバーが開放状態であって前方被覆部を巻き上げたときの前方斜視図。
【図６】本発明の実施の形態によるチャイルドシート用レインカバーが開放状態であって側方被覆部を固定したときの前方斜視図。
【図７】本発明の実施の形態によるチャイルドシート用レインカバーが開放状態であって側方被覆部を固定したときの後方斜視図。
【図８】本発明の実施の形態によるチャイルドシート用レインカバーが開放状態であって側方被覆部を固定したときの背面図。
【発明を実施するための形態】
【００２２】
本発明の実施の形態によるチャイルドシート用レインカバー１を図１乃至図８に基づき説明する。図中に示すように、前後上下左右方向を定義する。
【００２３】
チャイルドシート用レインカバー１は、自転車１０のサドル１１の後方または前方に設けられたチャイルドシート１２を覆うレインカバーである。チャイルドシート用レインカバー１によって形成されたシート収納空間１ａにチャイルドシート１２が収納されている。チャイルドシート１２は、図５に示すように、本体部１２Ａと、ヘッドレスト１３と、シートベルト１４と、シートハンドル１５と、を有し、シートベルト１４が露出する貫通孔１４ａが形成されている。本体部１２Ａは、子供が着座する部分であり、本体部１２Ａの上部にヘッドレスト１３が設けられている。
【００２４】
図１に示すように、チャイルドシート用レインカバー１は、前方被覆部２と、側方被覆部３と、後方被覆部４（図２）と、下方被覆部５と、から主に構成されている。前方被覆部２は透過性を有する合成樹脂から成り、チャイルドシート１２の前方から上方及び後方の上部を覆っている。前方被覆部２は、ファスナー２１（図３）と、巻上ベルト２２と、巻上係止部２３（図２）と、引掛部２４と、姿勢保持部２５と、第１固定ベルト２６と、第２固定ベルト２７（図２）と、チャック被覆部２８（図３）と、を有している。ファスナー２１は、前方被覆部２の周縁に略コ字状に設けられていて、側方被覆部３及び下方被覆部５と係合することにより前方被覆部２と、側方被覆部３及び下方被覆部５と、が固定される。
【００２５】
図３及び図４に示すように、ファスナー２１は、内側に折り込まれるように構成されている。詳細には、チャック被覆部２８を開くことにより、図３に示すようにファスナー２１が露出し、後述の側方被覆部３の折り込み部３１Ａをチャック被覆部２８の下方に折り込むことにより、図４に示すように、ファスナー２１が外部から露出しなくなる。これにより、ファスナー２１からの雨滴の侵入を防止するとともに外観上もファスナー２１を目立たなくすることができる。
【００２６】
巻上ベルト２２は、図１に示すように、引掛部２４から下方に延出するようにシート収納空間１ａに設けられている。巻上ベルト２２は左右方向に間隔を隔てて２つ設けられ、それぞれの先端には図示せぬボタンを備えている。巻上係止部２３は、図２に示すように、前方被覆部２と後方被覆部４との接続部分に左右方向に間隔を隔てて２つ設けられている。図７に示すように、前方被覆部２を上方に巻上げた状態において、巻上ベルト２２のボタンを巻上係止部２３に係止することによって前方被覆部２を固定することができる。
【００２７】
引掛部２４は、前方被覆部２と後方被覆部４との接続部分から斜め下方に向けて延びるようにシート収納空間１ａ内に設けられている。引掛部２４は略矩形をなし、図１及び図５に示すように、チャイルドシート用レインカバー１をチャイルドシート１２に固定した状態において、ヘッドレスト１３の上端部に引掛けられている。引掛部２４は、内部に所定の剛性を有する合成樹脂製の薄板が内蔵されている。引掛部２４の剛性によって、後述する姿勢保持部２５の起立状態を保持している。
【００２８】
姿勢保持部２５は、図２に示すように、前方被覆部２と後方被覆部４との接続部分に設けられていて、図中に点線で示すように、所定の剛性を有する合成樹脂製の薄板２５Ａが内蔵されている。引掛部２４がヘッドレスト１３に対して固定されることによって、姿勢保持部２５が上方に起立する。これにより、前方被覆部２が後方被覆部４から上方に向けて延出し、シート収納空間１ａの空間、具体的にはヘッドレスト１３の上部の空間をより広く確保することができる。姿勢保持部２５及び薄板２５Ａは、後方からシート収納空間１ａ内部に差し込む太陽光などの光を遮断している。
【００２９】
第１固定ベルト２６は、図１に示すように、引掛部２４から延出するようにシート収納空間１ａに設けられている。第１固定ベルト２６は左右方向に間隔を隔てて２つ設けられ、それぞれの第１固定ベルト２６には２本の紐材が延出している。２本の紐材のうちの１の紐材は、引掛部２４に固定されており、他の紐材は引掛部２４の後方であって引掛部２４と後方被覆部４との接合部分から延出している。引掛部２４をヘッドレスト１３に固定するときは、各第１固定ベルト２６において、１の紐材を貫通孔１４ａに貫通させてチャイルドシート１２の後方に持っていき、チャイルドシート１２の後方に位置する他の紐材と結ぶ。第１固定ベルト２６は、本発明の固定ベルトに相当する。
【００３０】
第２固定ベルト２７は、図２に点線で示すように、前方被覆部２と後方被覆部４との接続部分から下方に延出している。第２固定ベルト２７は、バックル２７Ａによって点線で示す自転車１０のリアキャリア１６に固定される。
【００３１】
側方被覆部３は透過性を有する合成樹脂及び化学繊維から成り、チャイルドシート１２の左右方向の両側面を覆っている。図１に示すように、側方被覆部３は、右側方被覆部３１と、左側方被覆部３２と、を有している。右側方被覆部３１及び左側方被覆部３２は略同一の構成であるため、以下右側方被覆部３１についてのみ詳細に説明する。右側方被覆部３１は、折り込み部３１Ａ（図３）と、上部被覆部３３と、下部被覆部３４と、係合ベルト３５（図５）と、を有している。右側方被覆部３１には、側方被覆部３を後方に折り畳む際の右折り畳み部３１ａが規定されている。折り込み部３１Ａは、ファスナー２１に沿うように右側方被覆部３１の周縁に規定されている。折り込み部３１Ａは、図１に示す状態では、チャック被覆部２８の下方に折り込まれる。
【００３２】
上部被覆部３３は、側方被覆部３の上部であってヘッドレスト１３の側面及び上部に位置している部分であって、図１に示す状態において、前方被覆部２と共にシート収納空間１ａのヘッドレスト１３近傍から上方の空間を形成している。詳細には、上部被覆部３３は、右折り畳み部３１ａと後方被覆部４との接続部分３１ｂから上方に位置している部分である。上部被覆部３３は、図１に示す状態において、上方に向けて指向する略円弧形状を成している。下部被覆部３４は、上部被覆部３３の下方に位置し、上部被覆部３３と共にチャイルドシート１２の右側面を覆っている。下部被覆部３４は、図６に示すように、シートハンドル１５に固定されるハンドル固定部３４Ａを有している。係合ベルト３５は、シート収納空間１ａ内であって右折り畳み部３１ａから延出している。
【００３３】
左側方被覆部３２は、上部被覆部３６と、下部被覆部３７と、被係合ベルト３８と、を有している。図７に示すように、被係合ベルト３８は、係合ベルト３５と係合可能である。左側方被覆部３２には、側方被覆部３を後方に向けて折り畳む際の左折り畳み部３２ａが規定されている。
【００３４】
後方被覆部４は化学繊維から構成され、チャイルドシート１２の後方を覆っている。後方被覆部４には、収納ポケット４１が設けられていて、小物等を収納することができる。
【００３５】
下方被覆部５は、前方被覆部２、側方被覆部３、および後方被覆部４の下方を覆うように構成されていて、チャイルドシート１２の足置き周辺を覆っている。下方被覆部５は、図５及び図６に示すように、サドル１１のサドルロッド１１Ａに固定されるサドル固定部５１を有している。下方被覆部５の下部は開口していて、下端部には図示せぬ絞り紐が設けられている。絞り紐を締めることにより、当該開口から内部に雨滴が侵入することを抑制できる。下方被覆部５には、図示せぬ乗降用チャックが左右方向両側に設けられていて、子供は乗降用チャックを開いてチャイルドシート１２に座る。
【００３６】
次に、チャイルドシート用レインカバー１の前方被覆部２の開閉状態について説明する。図１及び図２に示すように、前方被覆部２と、側方被覆部３及び下方被覆部５とがファスナー２１によって閉じられている状態を使用状態といい、図５乃至図８に示すように、前方被覆部２及び側方被覆部３が開いた状態を開放状態という。
【００３７】
使用状態から開放状態にするためには、ファスナー２１を解除し、前方被覆部２を下端部から上方に巻き上げて巻上ベルト２２と巻上係止部２３とを係止することにより、図５に示す状態となる。このとき、右側方被覆部３１及び左側方被覆部３２は下方に垂れ下がっている。
【００３８】
右側方被覆部３１を右折り畳み部３１ａから後方被覆部４に回り込むように折り畳むと同時に、左側方被覆部３２を左折り畳み部３２ａから後方被覆部４に回り込むように折り畳む。係合ベルト３５と被係合ベルト３８とを係合させることにより、図７及び図８に示すような状態となる。これにより、右側方被覆部３１及び左側方被覆部３２が後方被覆部４に固定される。換言すると、上部被覆部３３、３６が後方被覆部４に対して固定される。
【００３９】
このとき、図８に示すように、右側方被覆部３１の円弧形状の上部被覆部３３は左方向（横方向）に指向していて、左側方被覆部３２の円弧形状の上部被覆部３６は右方向（横方向）に指向している。また、右側方被覆部３１の下部被覆部３４は側方被覆部３及び後方被覆部４に跨るように位置し、左側方被覆部３２の下部被覆部３４も同様に側方被覆部３及び後方被覆部４に跨るように位置している。
【００４０】
次に、チャイルドシート用レインカバー１をチャイルドシート１２に取り付ける方法について説明する。下方被覆部５の下部に形成された開口を介して、チャイルドシート１２の上方からチャイルドシート用レインカバー１を被せる。
【００４１】
引掛部２４をヘッドレスト１３の上端部に引掛け、チャイルドシート用レインカバー１を一時的にチャイルドシート１２に仮固定する。このとき、ヘッドレスト１３の上端部は引掛部２４と下方被覆部５とに挟まれている。各第１固定ベルト２６のうち、引掛部２４から下方に延出する一の紐をヘッドレスト１３の前方に配置し、他の紐をヘッドレスト１３の後方に配置する。一の紐を貫通孔１４ａに前から後に向けて通し、他の紐と結ぶ。このとき、右に位置する一の紐と左に位置する一の紐とをチャイルドシート１２の後方で互いに結んでもよい。
【００４２】
図２に示すように、第２固定ベルト２７をリアキャリア１６に引っ掛け、バックル２７Ａで固定する。図６に示すように、右側方被覆部３１のハンドル固定部３４Ａをシートハンドル１５に固定する。左側方被覆部３２に設けられたハンドル固定部３４Ａもシートハンドル１５に固定し、サドル固定部５１をサドルロッド１１Ａに固定する。前方被覆部２を上部に巻き上げ、係合ベルト３５と被係合ベルト３８とを係合させて側方被覆部３を後方被覆部４に固定することにより、チャイルドシート用レインカバー１のチャイルドシート１２への装着が完了する。
【００４３】
自転車１０の運転中に雨が降ってきた場合は、係合ベルト３５と被係合ベルト３８との係合を解除するとともに、巻上ベルト２２と巻上係止部２３との係止を解除する。ファスナー２１を締め、図４に示すように、折り込み部３１Ａをチャック被覆部２８の下側に折り込むことにより、図１に示すように、チャイルドシート用レインカバー１が使用状態となる。
【００４４】
このような構成によると、前方被覆部２を開いた状態で上部被覆部３３、３６が後方被覆部４に固定可能であるため、前方被覆部２を開放した状態において側方被覆部３が下方に垂れ下がることない。これにより、自転車１０の運転時に側方被覆部３が自転車１０のチェーンに絡むなどのトラブルを防止し、チャイルドシート用レインカバー１を装着した状態のまま自転車１０を運転することができる。また、前方被覆部２と上部被覆部３３、３６によってヘッドレスト１３の上方に空間が形成されているため、前方被覆部２を閉じた状態であってもヘッドレスト１３周辺に広い空間を確保することができる。これにより、子供は息苦しさを感じることのないチャイルドシート用レインカバー１を実現することができる。
【００４５】
チャイルドシート用レインカバー１の設計において、子供の快適性を考慮してヘッドレスト１３の周囲や上部に広く空間を確保しようとすると、側方被覆部３の面積が大きくなってしまう。このような状態でレインカバーを開放した場合、側方被覆部３が下方に垂れ下がり自転車１０の運転の邪魔になる可能性があった。しかし、本件発明のように側方被覆部３を後方被覆部４に固定することで、たとえ側方被覆部３の面積が広くなったとしても、側方被覆部３をバタつかせることなく安定的に固定することができる。
【００４６】
このような構成によると、上部被覆部３３，３６を後方被覆部４に固定した状態で円弧が横方向に指向しているため、上部被覆部３３、３６を折り畳むことなく後方被覆部４に固定することができる。これにより、上部被覆部３３、３６に折りシワや癖などが付くことを防止できる。さらに、上部被覆部３３、３６が横方向に指向しているため、上部被覆部３３、３６を後方被覆部４に密着させて安定的に固定することができる。
【００４７】
このような構成によると、下部被覆部３４、３７は側方被覆部３から後方被覆部４に跨り位置しているため、下部被覆部３４、３７が側方被覆部３及び後方被覆部４に接している状態となる。詳細には、上部被覆部３３、３６が後方被覆部４に固定されるとともに下部被覆部３４、３７が側方被覆部３及び後方被覆部４に跨っているため、側方被覆部３をバタつかせることなく安定的に固定することができる。
【００４８】
このような構成によると、係合ベルト３５と被係合ベルト３８とによって上部被覆部３３、３６を後方被覆部４に固定しているため、簡易な構造で両サイドの側方被覆部３を同時に固定することができる。これにより、それぞれの側方被覆部３を別々に固定する場合と比較して、簡単な操作で両方の側方被覆部３の固定及び解除を行うことができる。また、係合ベルト３５及び被係合ベルト３８はシート収納空間１ａに設けられているため、係合ベルト３５及び被係合ベルト３８が外部に垂れ下がることがなく、これらのベルトが自転車１０の車輪に絡むなどの運転トラブルを抑制することができる。
【００４９】
このような構成によると、チャイルドシート１２の上端部に引掛けられる引掛部２４を第１固定ベルト２６で固定しているため、チャイルドシート用レインカバー１をチャイルドシート１２に対してズレることなく安定的に固定することができる。特に、本件発明においてはチャイルドシート１２のシート収納空間１ａを大きく確保しているため側面における風の抵抗が大きくなり、チャイルドシート用レインカバー１への負荷が大きくなる。しかし、このような固定方法を採用することにより、特に上下方向のズレを抑制することができる。また、姿勢保持部２５は、引掛部２４をヘッドレスト１３の上端部に固定したときに上方に起立する程度の剛性を有しているため、ヘッドレスト１３上部の空間を安定的に保持することができる。また、姿勢保持部２５は、上部被覆部３３、３６及び前方被覆部２とともにシート収納空間１ａの後部の一部を形成しているため、後方からの太陽光を姿勢保持部２５及び薄板２５Ａによって遮断することができる。これにより、子供への紫外線等の被害を最小限に抑えることができる。
【００５０】
本発明によるチャイルドシート用レインカバーは、上述した実施の形態に限定されず、特許請求の範囲に記載された発明の要旨の範囲内で種々の変更が可能である。
【００５１】
上述の実施の形態では、右側方被覆部３１の上部被覆部３３及び左側方被覆部３２の上部被覆部３６は、係合ベルト３５と被係合ベルト３８との係合によって後方被覆部４に固定されたが、これに限定されない。例えば、上部被覆部と後方被覆部とを面ファスナー、ボタン、紐等によって固定してもよい。また、右側方被覆部の上部被覆部と、左側方被覆部の上部被覆部と、を本実施の形態のように一緒に固定してもよく、それぞれ個別に後方被覆部に固定してもよい。
【００５２】
上述の実施の形態では、前方被覆部２は巻き上げて巻上ベルト２２と巻上係止部２３とを係止することにより固定したが、これに限定されない。例えば、前方被覆部を後方被覆部または下方被覆部に固定してもよく、後方被覆部に固定された側方被覆部に固定してもよい。
【００５３】
上述の実施の形態では、上部被覆部３３として接続部分３１ｂから上の部分を規定したが、これに限定されない。例えば、上部被覆部３３は、側方被覆部３の上側に位置している部分の少なくとも一部であればよい。同様に、側方被覆部３の少なくとも一部が後方被覆部４に固定されていれば、本発明の効果を奏することができる。
【００５４】
上述の実施の形態では、ヘッドレスト１３を有するチャイルドシート１２にチャイルドシート用レインカバー１を装着したが、これに限定されない。例えば、ヘッドレスト１３を有していないチャイルドシート１２にチャイルドシート用レインカバー１を装着してもよい。
【符号の説明】
【００５５】
１      チャイルドシート用レインカバー
１ａ    シート収納空間
２      前方被覆部
３      側方被覆部
４      後方被覆部
５      下方被覆部
１０    自転車
１２    チャイルドシート
１２Ａ  本体部
１３    ヘッドレスト
２１    ファスナー
２４    引掛部
２５    姿勢保持部
２６    第１固定ベルト
３１    右側方被覆部
３２    左側方被覆部
３３、３６    上部被覆部
３４、３７    下部被覆部
３５    係合ベルト
３８    被係合ベルト
【図１】
2020032815.tif 000003
【図２】
2020032815.tif 000004
【図３】
2020032815.tif 000005
【図４】
2020032815.tif 000006
【図５】
2020032815.tif 000007
【図６】
2020032815.tif 000008
【図７】
2020032815.tif 000009
【図８】
2020032815.tif 000010